(57)【要約】【課題】  動作環境に対応して常に最適な受信系統数を選択し、動作環境に対応した受信特性を得る。【解決手段】  Ｎ本の送信アンテナから送信し、Ｍ本の受信アンテナで受信する無線通信を行う無線通信装置において、受信局は、Ｍ本の受信アンテナに対応するＭ個の受信系統が動作する第１の動作モードと、Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて第１の動作モードと第２の動作モードを選択し、対応する受信系統の回路を動作させる電源オンオフ制御回路を備える。【選択図】        図１
2006211565.tif 000002
【特許請求の範囲】
【請求項１】
Ｎ本（Ｎは１以上の整数）の送信アンテナからそれぞれ個別の既知パターンを付与した信号を送信する送信局と、Ｍ本（Ｍは２以上の整数）の受信アンテナを有し、前記既知パターンを参照信号として送受信アンテナ間の伝達関数を取得し、該伝達関数を用いて検出された各受信アンテナに対応する受信系統の受信信号から前記送信局から送信された信号を推定する受信局との間で無線通信を行う無線通信装置において、
前記受信局は、前記Ｍ本の受信アンテナに対応するＭ個の受信系統が動作する第１の動作モードと、前記Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて前記第１の動作モードと前記第２の動作モードを選択し、対応する受信系統の回路を動作させる電源オンオフ制御回路を備えた
ことを特徴とする無線通信装置。
【請求項２】
Ｎ本（Ｎは２以上の整数）の送信アンテナから同一チャネルで同時にＮ系列の信号を送信する送信局と、空間分割多重されたＮ系列の信号をＭ本（Ｍは２以上の整数）の受信アンテナを用いて受信し、送受信アンテナ間のＮ×Ｍ個の伝達関数を取得し、該伝達関数を用いて検出された各受信アンテナに対応する受信系統の受信信号から前記送信局から送信されたＮ系列の信号を推定する受信局との間でＭＩＭＯ通信を行う無線通信装置において、
前記受信局は、前記Ｍ本の受信アンテナに対応するＭ個の受信系統が動作する第１の動作モードと、前記Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて前記第１の動作モードと前記第２の動作モードを選択し、対応する受信系統の回路を動作させる電源オンオフ制御回路を備えた
ことを特徴とする無線通信装置。
【請求項３】
請求項１または請求項２に記載の無線通信装置において、
前記第２の動作モードは、Ｍ′の値に応じて２以上の動作モードに分割され、前記電源オンオフ制御回路は３以上の動作モードから１つの動作モードを選択し、対応する受信系統の回路を動作させる構成である
ことを特徴とする無線通信装置。
【請求項４】
請求項１〜３のいずれかに記載の無線通信装置において、
前記受信局は、ユーザからの設定による動作モード指定情報、または外部装置からの設定による動作モード指定情報を入力し、前記電源オンオフ制御回路に対して動作モード指定情報を与える手段を備えた
ことを特徴とする無線通信装置。
【請求項５】
請求項１〜３のいずれかに記載の無線通信装置において、
前記受信局は、動作電源が外部電源からの給電であるか否かを判定する電源管理回路を備え、前記電源オンオフ制御回路は該電源管理回路の判定した動作電源に応じた動作モード選択を行う構成である
ことを特徴とする無線通信装置。
【請求項６】
Ｎ本（Ｎは１以上の整数）の送信アンテナからそれぞれ個別の既知パターンを付与した信号を送信する送信局と、Ｍ本（Ｍは２以上の整数）の受信アンテナを有し、前記既知パターンを参照信号として送受信アンテナ間の伝達関数を取得し、該伝達関数を用いて検出された各受信アンテナに対応する受信系統の受信信号から前記送信局から送信された信号を推定する受信局との間で無線通信を行う無線通信方法において、
前記受信局は、前記Ｍ本の受信アンテナに対応するＭ個の受信系統が動作する第１の動作モードと、前記Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて前記第１の動作モードと前記第２の動作モードを選択し、対応する受信系統の回路を動作させる
ことを特徴とする無線通信方法。
【請求項７】
Ｎ本（Ｎは２以上の整数）の送信アンテナから同一チャネルで同時にＮ系列の信号を送信する送信局と、空間分割多重されたＮ系列の信号をＭ本（Ｍは２以上の整数）の受信アンテナを用いて受信し、送受信アンテナ間のＮ×Ｍ個の伝達関数を取得し、該伝達関数を用いて検出された各受信アンテナに対応する受信系統の受信信号から前記送信局から送信されたＮ系列の信号を推定する受信局との間でＭＩＭＯ通信を行う無線通信方法において、
前記受信局は、前記Ｍ本の受信アンテナに対応するＭ個の受信系統が動作する第１の動作モードと、前記Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて前記第１の動作モードと前記第２の動作モードを選択し、対応する受信系統の回路を動作させる
ことを特徴とする無線通信方法。
【請求項８】
請求項６または請求項７に記載の無線通信方法において、
前記第２の動作モードは、Ｍ′の値に応じて２以上の動作モードに分割され、前記電源オンオフ制御回路は３以上の動作モードから１つの動作モードを選択し、対応する受信系統の回路を動作させる
ことを特徴とする無線通信方法。
【請求項９】
請求項６〜８のいずれかに記載の無線通信方法において、
前記受信局は、ユーザからの設定による動作モード指定情報、または外部装置からの設定による動作モード指定情報を入力し、該動作モード指定情報に応じた動作モード選択を行う
ことを特徴とする無線通信方法。
【請求項１０】
請求項６〜８のいずれかに記載の無線通信方法において、
前記受信局は、動作電源が外部電源からの給電であるか否かを判定し、その判定結果に応じた動作モード選択を行う
ことを特徴とする無線通信方法。
【発明の詳細な説明】
【技術分野】
【０００１】
本発明は、複数の受信アンテナに対応する複数の受信系統を有する受信局において、動作させる受信系統数を選択可能な無線通信装置および無線通信方法に関する。
【背景技術】
【０００２】
2.4ＧHz帯または５ＧHz帯を用いた高速無線アクセスシステムでは、受信側のアンテナの本数を増やし、これらのアンテナで受信される信号を適宜利用して受信特性を改善する受信ダイバーシチ技術が用いられている。受信ダイバーシチ技術は、例えば一方のアンテナの受信状態が悪い場合でも、他方のアンテナの受信状態がよければ良好な受信特性を得ることができる。
【０００３】
図３は、従来の無線局の送信部の構成を示す。図４は、従来の無線局の受信部の構成を示す。なお、一般の無線局は送信部と受信部の両機能を備えるが、ここではそれぞれ個別に説明する。
【０００４】
図３において、１１はデータ入出力制御回路、１２はプリアンブル付与回路、１３は変調回路、１４は無線部、１５は送信アンテナを示す。例えば無線アクセスシステムの場合、無線局は端末装置（ＰＣ）に接続され、ＰＣとの間でデータの入出力を行う。携帯端末の場合は、端末上でデータの入出力を行う。データ入出力制御回路１１は、これらのデータの入出力を管理する回路であり、ＰＣと接続される場合にはＰＣとの間のインタフェース処理を行う。データ入出力制御回路１１に入力されたユーザデータはプリアンブル付与回路１２に入力され、ここでチャネル推定用の既知の信号パターンであるプリアンブル信号が付与され、変調回路１３で所定の変調を行った後に、無線部１４で無線信号に変換され、送信アンテナ１５から送信される。
【０００５】
図４に示す受信部は、一例として３本の受信アンテナを備える場合の構成である。図４において、２１−１〜２１−３は受信アンテナ、２２−１〜２２−３は無線部、２３−１〜２３−３はチャネル推定回路、２４−１〜２４−３は受信信号管理回路、２５は伝達関数管理回路、２６は信号検出回路、２７はデータ再生回路、２８はデータ入出力制御回路を示す。
【０００６】
受信アンテナ２１−１〜２１−３に受信した各信号は、無線部２２−１〜２２−３でそれぞれ周波数変換されてチャネル推定回路２３−１〜２３−３に入力される。チャネル推定回路２３−１〜２３−３は、送信側で付与したプリアンブル信号の受信状況から、送信アンテナと各受信アンテナ間の伝送路上の伝達関数を取得する。取得した各伝達関数の情報ｈj,i は伝達関数管理回路２５で管理される。また、受信信号からプリアンブル信号を除去したユーザデータは受信信号管理回路２４−１〜２４−３に入力される。
【０００７】
図３に示す送信部の構成では、１つの送信アンテナ１５から信号が送信されるが、この場合に各受信系列では送信信号に対する受信信号の位相の回転が異なっている。信号検出回路２６では、各受信系列の位相の回転が等しくなるように調整し、それらの信号を合成し、その合成された信号を元に送信信号の推定を行う。ユーザデータは、通常は複数のシンボル長を有し、この場合には１シンボルずつ送信信号の推定処理を行う。推定された送信信号は、順次データ再生回路２７に出力され、ここで全データをまとめてユーザデータが再生される。再生されたユーザデータはデータ入出力管理回路２８に出力される。データ入出力管理回路２８では、必要に応じて端末上で情報を出力（音声であれば音声再生、データであれば端末上へ表示）し、あるいはＰＣが接続されている場合にはＰＣにデータを出力する。
【０００８】
一方、高速無線アクセスシステムとして普及しているIEEE802.11ｇ規格やIEEE802.11ａ規格などでは、現在のところ最大で54Ｍbps の伝送速度を実現しているが、無線ＬＡＮの普及に伴って更なる伝送速度の高速化が求められている。そのための技術としては、ＭＩＭＯ（Multiple-Input Multiple-Output) 技術が有力である。このＭＩＭＯ技術は、送信局側において複数の送信アンテナから同一周波数チャネルで同時に異なる独立な信号を送信し、受信局側において１以上の受信アンテナを用いて信号を受信し、各送信アンテナ／受信アンテナ間の伝達関数行列を求め、この行列を用いて送信局側の各送信アンテナから送信された複数の信号を推定し、データを再生するものである。
【０００９】
ここで、Ｎ本（Ｎは２以上の整数）の送信アンテナを用いてＮ系列の信号を送信し、Ｍ本（Ｍは１以上の整数）の受信アンテナを用いて信号を受信する場合を想定する。まず、送受信局の各アンテナ間にはＮ×Ｍ個の伝送パスが存在し、第ｉ送信アンテナから送信され、第ｊ受信アンテナで受信される場合の伝達関数をｈj,i とし、これを第(j,i) 成分とするＭ行Ｎ列の伝達関数行列をＨとする。また、第ｉ送信アンテナからの送信信号をｔi とし、（t1，t2，t3，…，tN）を成分とする列ベクトルをＴ、第ｊ受信アンテナの受信信号をｒj とし、（r1，r2，r3，…，rM) を成分とする列ベクトルをＲ、第ｊ受信アンテナの熱雑音をｎj とし、（n1，n2，n3，…，nM) を成分とする列ベクトルをｎと表記する。
【００１０】
この場合、
Ｒ＝Ｈ×Ｔ＋ｎ      …(1) 
の関係式が成り立つ。この式(1) に基づき、受信局では、受信した信号Ｒおよび伝達関数行列Ｈをもとに送信信号Ｔを推定することになる。このＭＩＭＯ技術の信号検出法の最も基本的なものとしては、一般にＺＦ（Zero-Forcing）法と呼ばれる方法がある（非特許文献１）。
【００１１】
ここで、式(1) における伝達関数行列Ｈが正方行列である場合には、その逆行列Ｈ-1を求め、これを式(1) の両辺の左から掛け合わせ、
Ｈ-1×Ｒ＝Ｔ＋Ｈ-1×ｎ      …(2) 
を得る。
【００１２】
また、伝達関数行列Ｈが正方行列でない場合には、この行列Ｈとエルミート共役な行列ＨH を利用して、
（ＨH×Ｈ)-1×ＨH×Ｒ＝Ｔ＋（ＨH×Ｈ)-1×ＨH×ｎ      …(3) 
を得る。
【００１３】
このように、各受信アンテナで受信した信号を合成し、所望の送信アンテナ以外からの信号による干渉を除去する処理を行うと、実際の送信信号ベクトルＴに微小な熱雑音項
Ｈ-1×ｎまたは（ＨH×Ｈ)-1×ＨH×ｎ
が加わった信号点が得られることになる。ここで、送信信号として、ＢＰＳＫ、ＱＰＳＫ、16ＱＡＭ、64ＱＡＭ等の多値変調を施した信号を用いる場合は、送信信号として取り得る信号点は不連続である。したがって、
Ｈ-1×Ｒまたは（ＨH×Ｈ)-1×ＨH×Ｒ
とユークリッド距離が最も近い点を送信コンスタレーション上で検索する硬判定処理を行い、真の送信信号を推定する。
【００１４】
ＭＩＭＯ技術では、送信アンテナ数と受信アンテナ数を揃え、伝達関数行列が正方行列となるものが最も一般的であるが、受信側でダイバーシチ利得を稼ぐために、送信アンテナ数（送信系列数）Ｎよりも受信アンテナ数Ｍを増やすことも可能である。この場合、伝達関数行列Ｈは、Ｍ＞ＮであるＭ×Ｎ次元の非正方行列となる。しかし、式(3) に示すように、ＭとＮが異なる場合でも同様の処理が可能である。
【００１５】
図５は、ＭＩＭＯ技術を用いた無線局の送信部の構成を示す。ここでは、２つの送信アンテナを用いて２系列のデータを送信する場合の構成例を示す。図において、１１はデータ入出力制御回路、１６はデータ分割回路、１２−１〜１２−２はプリアンブル付与回路、１３−１〜１３−２は変調回路、１４−１〜１４−２は無線部、１５−１〜１５−２は送信アンテナを示す。
【００１６】
データ分割回路１６は、データ入出力制御回路１１から入力したデータを２系列に分離する。第１系列のデータは、プリアンブル付与回路１２−１でチャネル推定用の既知の信号パターンであるプリアンブル信号が付与され、変調回路１３−１で所定の変調が行われ、無線部１４−１で無線周波数に変換され、送信アンテナ１５−１から送信される。第２系列のデータについても同様に送信アンテナ２５−２から送信される。一般にプリアンブル信号は複数シンボルで構成され、プリアンブル付与回路１２−１，１２−２ではそれぞれ異なるパターンが付与される。
【００１７】
このＭＩＭＯ技術を適用した場合の受信部は、基本的には図４に示すものと同様であるが、チャネル推定回路２３−１〜２３−３で各送信アンテナと受信アンテナ間の伝達関数を取得することになる。同様に、伝達関数管理回路２５では、Ｍ×Ｎ通りの組み合わせの各伝送路に対応した伝達関数を要素としてもつＭ行Ｎ列の伝達関数行列Ｈを管理することになる。信号検出回路２６では、式(3) で示す処理を行うことにより、各送信アンテナから送信された送信信号をそれぞれ推定し、データ再生回路２７で２系統の信号を合成してユーザデータを再生する。
【非特許文献１】S.Kurosaki et al.,"A SDM-COFDM Scheme Employing a Simple  Feed-Forward Inter-Channel Interference Canceller for MIMO Based Broadband Wireless LANs", IEICE TRANS.COMMUN.,Vol.E86 B. No.1, January,2003
【発明の開示】
【発明が解決しようとする課題】
【００１８】
送信系統に対して受信系統を冗長系とし、受信ダイバーシチ技術を利用して受信特性を向上させることは、一般に有効な技術である。しかし、受信系統の数を増やせば、それに応じて必要となる消費電力は増加する。したがって、無線通信装置の利用形態により、利用できる受信系統数には限度がある。
【００１９】
例えば、無線通信装置がバッテリーで駆動しているような場合、あるいは接続しているＰＣから電力の供給を受けている場合には、無線通信装置の受信部の消費電力に対する制約が強い。この場合には、利用可能な受信系統数は必要最小限の値となる。一方、無線通信装置が外部電源から電力の供給を受け、多数の受信系統を同時に処理しても十分に対応可能な場合には、受信特性を向上させるために送信系統に対して受信系統を冗長系にすることが好ましい。しかし、従来の無線通信装置では、常に受信系統数を固定で利用しているため、利用環境に対応した最適化ができなかった。
【００２０】
本発明は、動作環境に対応して常に最適な受信系統数を選択し、動作環境に対応した受信特性を得ることができる無線通信装置および無線通信方法を提供することを目的とする。
【課題を解決するための手段】
【００２１】
本発明は、Ｎ本（Ｎは１以上の整数）の送信アンテナからそれぞれ個別の既知パターンを付与した信号を送信する送信局と、Ｍ本（Ｍは２以上の整数）の受信アンテナを有し、既知パターンを参照信号として送受信アンテナ間の伝達関数を取得し、該伝達関数を用いて検出された各受信アンテナに対応する受信系統の受信信号から送信局から送信された信号を推定する受信局との間で無線通信を行う無線通信装置（方法）において、受信局は、Ｍ本の受信アンテナに対応するＭ個の受信系統が動作する第１の動作モードと、Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて第１の動作モードと第２の動作モードを選択し、対応する受信系統の回路を動作させる電源オンオフ制御回路を備える。
【００２２】
また、本発明は、Ｎ本（Ｎは２以上の整数）の送信アンテナから同一チャネルで同時にＮ系列の信号を送信する送信局と、空間分割多重されたＮ系列の信号をＭ本（Ｍは２以上の整数）の受信アンテナを用いて受信し、送受信アンテナ間のＮ×Ｍ個の伝達関数を取得し、該伝達関数を用いて検出された各受信アンテナに対応する受信系統の受信信号から送信局から送信されたＮ系列の信号を推定する受信局との間でＭＩＭＯ通信を行う無線通信装置（方法）において、受信局は、Ｍ本の受信アンテナに対応するＭ個の受信系統が動作する第１の動作モードと、Ｍ本の受信アンテナの一部としてＭ′本（Ｍ′は１以上Ｍ未満の整数）の受信アンテナに対応するＭ′個の受信系統が動作する第２の動作モードとを有し、動作条件に応じて第１の動作モードと第２の動作モードを選択し、対応する受信系統の回路を動作させる電源オンオフ制御回路を備える。
【００２３】
また、第２の動作モードは、Ｍ′の値に応じて２以上の動作モードに分割され、電源オンオフ制御回路は３以上の動作モードから１つの動作モードを選択し、対応する受信系統の回路を動作させるようにしてもよい。
【００２４】
これにより、Ｍ個の受信系統に対応する各回路に対して、Ｍ個の受信系統とＭ′個の受信系統の少なくとも２種類の動作モードを有し、その１つの動作モードを選択することができる。
【００２５】
また、受信局は、ユーザからの設定による動作モード指定情報、または外部装置からの設定による動作モード指定情報を入力し、電源オンオフ制御回路に対して動作モード指定情報を与える手段を備えてもよい。これにより、ユーザ設定または外部設定により動作モードを選択することができる。
【００２６】
また、受信局は、動作電源が外部電源からの給電であるか否かを判定する電源管理回路を備え、電源オンオフ制御回路は該電源管理回路の判定した動作電源に応じた動作モード選択を行う構成としてもよい。これにより、バッテリー駆動や外部電源駆動などの電源状態に応じて自動的に動作モードを選択することができる。
【発明の効果】
【００２７】
本発明の無線通信装置および無線通信方法では、受信部の受信系統数が冗長である場合に、動作させる受信系統数を動作環境に応じて最適化することができる。特に、バッテリー駆動と外部電源駆動が選択可能な端末の場合に、バッテリー駆動のときは必要最小限の受信系で動作させることにより省電力化を図り、外部電源駆動のときは全受信系統を動作させて受信ダイバーシチ利得を最大限に引出し、良好な受信特性を得ることができる。
【発明を実施するための最良の形態】
【００２８】
図１は、本発明の無線通信装置における受信部の第１の構成例を示す。ここでは、受信アンテナ数Ｍが３の場合の構成例を示す。なお、本発明の無線通信装置における送信部は従来の同様の構成である。
【００２９】
図において、２１−１〜２１−３は受信アンテナ、２２−１〜２２−３は無線部、２３−１〜２３−３はチャネル推定回路、２４−１〜２４−３は受信信号管理回路、２５は伝達関数管理回路、２６は信号検出回路、２７はデータ再生回路、２８はデータ入出力制御回路、２９は電源オンオフ制御回路を示す。基本的な構成は、図４に示す受信部と同様である。
【００３０】
本構成例の特徴は、各受信系統に対応する
＜無線部２２−１，チャネル推定回路２３−１，受信信号管理回路２４−１＞、
＜無線部２２−２，チャネル推定回路２３−２，受信信号管理回路２４−２＞、
＜無線部２２−３，チャネル推定回路２３−３，受信信号管理回路２４−３＞
をそれぞれグループ化し、各受信系統の電源のオンオフが個別に設定可能とするところにある。電源オンオフ制御回路２９は、データ入出力制御回路２８からの設定に従い、一部の受信系統の電源をオフとする制御を行う。例えば、図３に示す１送信系統を有する送信部との通信の場合には、１つまたは２つの受信系統の電源をオフとして受信処理することができる。また、図５に示す２送信系統を有する送信部とのＭＩＭＯ通信の場合には、１つの受信系統の電源をオフとして受信処理することができる。さらに、２つの受信系統の電源をオフとし、１つの受信系統のみでＭＩＭＯ受信を行うことも可能である。
【００３１】
ここで、受信系統数を変更した場合には、信号検出回路２６でこれに対応した受信処理が必要になる。例えば、ＭＩＭＯ技術を用いる場合において、図５に示す送信系統数２の送信部に対して受信系統数３の受信部で受信する構成では、式(3) の伝達関数行列Ｈは３行２列の行列となる。また、受信部の１つの受信系統の電源をオフにし、動作する受信系統数を２に削減する構成では、伝達関数行列Ｈは２行２列の行列となる。このため、電源オンオフ制御回路２９で設定した有効な受信系統数の値は信号検出回路２６に通知され、この値に応じて処理内容が変更される。なお、式(3) はＺＦ（Zero-forcing）方式と呼ばれる最も単純な信号検出方式に対応するものであるが、その他にも、ＭＭＳＥ（Minimum mean square error)方式、ＯＳＤ（Ordered successive detection）方式、ＭＬＤ（Maximum Likelihood detection) 方式などを利用することができる。また、３つの受信系統のうち２つの受信系統の電源をオフとし、受信系統数１となる場合にＭＩＭＯ伝送を行うには、信号検出方法はＭＬＤ方式に限定される。
【００３２】
図２は、本発明の無線通信装置における受信部の第２の構成例を示す。本構成例は、基本的には図１に示す第１の構成例と同様てあるが、無線通信装置の電源状態に応じた管理を行う電源管理回路３０が加わる点が異なる。電源管理回路３０は、受信部の動作電源がバッテリーまたはＰＣからの給電であるか、外部電源からの給電であるかを判断し、この結果はデータ入出力制御回路２８に通知する。データ入出力制御回路２８は、例えば外部電源に接続されている場合には全受信系統の電源をオンとし、バッテリーまたはＰＣからの給電の場合には一部の受信系統の電源をオフとするように、電源オンオフ制御回路２９に指示する。
【００３３】
なお、データ入出力制御回路２８はユーザのマニュアル設定を優先とし、ユーザが電源状態に拘らず全受信系統の電源をオンとする設定をした場合には、電源オンオフ制御回路２９にそのような指示をしてもよい。一方、ユーザからのマニュアル設定に依存せず、電源状態を優先して各受信系統の電源をオンオフ設定する場合には、電源管理回路３０からデータ入出力制御回路２８を介さず直接、電源オンオフ制御回路２９に指示を出すような構成でもよい。
【００３４】
また、各受信系統の電源のオンオフの設定は、無線通信装置で直接行う他に、無線通信装置がＰＣ等の外部装置と接続されている場合には、その外部装置側から指示を出すようにしてもよい。この場合には、外部装置の指示は、データ入出力制御回路２８を介して電源オンオフ制御回路２９に伝達される。さらに、無線通信装置を内在したＰＣなどの場合には、ＰＣに外部電源が接続されている場合には無線通信装置も外部電源に接続し、ＰＣがバッテリーで駆動している場合には無線通信装置もバッテリーで駆動しているとみなし、対応する電源オンオフ制御を行ってもよい。
【００３５】
また、以上の説明では、動作可能な受信系統数（動作モード）の選択肢が３、２、１の３種類であったが、２種類または４種類以上の選択肢を備える構成でも同様に対応することができる。
【００３６】
また、以上の説明では、ＭＩＭＯ通信を行う場合を例にとって説明したが、従来のＭＩＭＯ多重を行わない通信における受信ダイバーシチとして、本発明を利用することも当然可能である。この場合には、信号検出回路２６において、電源がオンになっている受信系統に対して、例えば最大比合成となるように信号処理を行えばよい。
【図面の簡単な説明】
【００３７】
【図１】本発明の無線通信装置における受信部の第１の構成例を示す図。
【図２】本発明の無線通信装置における受信部の第２の構成例を示す図。
【図３】従来の無線局の送信部の構成を示す図。
【図４】従来の無線局の受信部の構成を示す図。
【図５】ＭＩＭＯ技術を用いた無線局の送信部の構成を示す図。
【符号の説明】
【００３８】
１１  データ入出力制御回路
１２  プリアンブル付与回路
１３  変調回路
１４  無線部
１５  送信アンテナ
２１  受信アンテナ
２２  無線部
２３  チャネル推定回路
２４  受信信号管理回路
２５  伝達関数管理回路
２６  信号検出回路
２７  データ再生回路
２８  データ入出力制御回路
２９  電源オンオフ制御回路
３０  電源管理回路
【図１】
2006211565.tif 000003
【図２】
2006211565.tif 000004
【図３】
2006211565.tif 000005
【図４】
2006211565.tif 000006
【図５】
2006211565.tif 000007